(57)【特許請求の範囲】
【請求項１】
複数の収納部を備える処理棚を処理庫の庫内に配備するとともに、この処理庫の庫内空気を調整する空調手段を設け、
この空調手段による調整空気を前記処理棚の各収納部に通過させる形態で前記処理庫の庫内空気を前記空調手段と前記処理棚とにわたり循環させて、前記処理棚の各収納部における収納処理物を処理する農水産物処理システムであって、
前記処理庫の庫外に、未処理の処理物を搬入する搬入部と、前記処理棚で処理した処理済みの処理物を搬出する搬出部と、複数の収納部を備える待機棚とを設け、
前記搬入部に搬入された処理物を前記待機棚の各収納部へ順次に収納する入荷作業を自動的に行い、前記待機棚の各収納部に収納されている処理物を前記処理棚の各収納部に収納する入庫作業と前記処理棚の各収納部に収納されている処理物を前記待機棚の各収納部に収納する出庫作業と並行して実施して、前記待機棚の各収納部と前記処理棚の各収納部との間で収納処理物を順次入れ替える入出庫作業を自動的に行い、並びに、前記待機棚の各収納部における収納処理物を前記搬出部へ順次に取り出す出荷作業を自動的に行う移送手段を設けてあり、
前記移送手段を、
前記入荷作業では、移送機を前記搬入部と前記待機棚との間で往復走行させて、その移送機により前記搬入部への搬入処理物を順次に前記待機棚の各収納部へ収納し、
かつ、前記入出庫作業では、前記移送機を前記待機棚と前記処理棚との間で往復走行させて、その移送機により前記待機棚の各収納部における収納処理物と前記処理棚の各収納部における収納処理物とを順次に入れ換え、
かつ、前記出荷作業では、前記移送機を前記待機棚と前記搬出部との間で往復走行させて、その移送機により前記待機棚の各収納部における収納処理物を順次に前記搬出部へ取り出す構成にしてある農水産物処理システム。
【請求項２】
前記処理庫の庫内における前記処理棚の前面域を、その処理棚の各収納部に対する前記移送手段の処理物出し入れ作業域にし、
前記処理棚の各収納部に対する調整空気の通風構成として、前記処理棚の前面域へ前記空調手段による調整空気を拡散させる状態に吹き出し供給する給気導風路と、前記処理棚の各収納部から棚背面側へ空気吸引する吸引ファンとを設けてある請求項１記載の農水産物処理システム。
【請求項３】
前記処理棚の各収納部から前記吸引ファンにより吸引した空気を合流状態で流入させる機械室を、前記処理庫の庫内に仕切形成し、
この機械室に前記空調手段として、その機械室の室内気を調整する空調機を配備し、この機械室の室内気を調整空気として前記給気導風路へ送出する構成にしてある請求項２記載の農水産物処理システム。
【請求項４】
前記搬入部と前記搬出部とを隣合わせに配置し、
前記移送手段を、前記出荷作業において前記移送機を前記搬出部から前記待機棚へ戻り走行させる度に、その戻り走行行程の前記移送機を用いて前記搬入部への搬入処理物を前記待機棚へ収納する入出荷並行作業が可能な構成にしてある請求項１〜３のいずれか１項に記載の農水産物処理システム。
【請求項５】
前記空調手段を庫内空気の除湿処理が可能な構成にしてある請求項１〜４のいずれか１項に記載の農水産物処理システム。
【発明の詳細な説明】
【０００１】
【発明の属する技術分野】
本発明は農水産物処理システムに関し、詳しくは、複数の収納部を備える処理棚を処理庫の庫内に配備するとともに、この処理庫の庫内空気を調整する空調手段を設け、この空調手段による調整空気を前記処理棚の各収納部に通過させる形態で前記処理庫の庫内空気を前記空調手段と前記処理棚とにわたり循環させて、前記処理棚の各収納部における収納処理物を処理する農水産物処理システムに関する。
【０００２】
【従来の技術】
従来、この種の処理システムでは、処理物（一般にはコンテナ等の容器に収容した状態の処理物）の搬送及び処理棚に対する出し入れを自動的に行う移送手段を処理庫の庫内に配備するのに対し、未処理の処理物を搬入する搬入部、及び、処理棚で処理した処理済みの処理物を搬出する搬出部を処理庫の処理物出入口に配設していた。
【０００３】
そして、この構成において、フォークリフトなどの運搬装置により未処理の処理物を搬入部へ順次に搬入するのに並行して、その搬入処理物を上記移送手段により処理棚の各収納部へ順次に自動収納し、また、処理棚での処理が終了すると、処理済みの処理物を上記移送手段により処理棚の各収納部から搬出部へ順次、自動的に取り出し、これに並行して、この取り出し処理物を同じくフォークリフトなどの運搬装置により搬出部から順次に搬出していた。
【０００４】
【発明が解決しようとする課題】
しかし、この従来システムでは、未処理の処理物を移送手段により処理棚の各収納部へ順次に自動収納する入庫作業と、フォークリフトなどの運搬装置により未処理の処理物を搬入部へ順次に搬入する搬入作業とを並行して行うため、また、処理済の処理物を移送手段により処理棚の各収納部から搬出部へ順次、自動的に取り出す出庫作業と、その取り出し処理物をフォークリフトなどの運搬装置により搬出部から順次に搬出する搬出作業とを並行して行うため、移送手段の往復動作を利用して搬入・入庫作業と出庫・搬出作業とを並行する形態を採るにしても、移送手段による自動入庫作業及び自動出庫作業の作業能率が、それ自身には未だ高能率化の余裕があるにもかかわらず、フォークリフトなどの運搬装置による搬入作業及び搬出作業の作業能率に規制されて低く制限され、この為に、入庫作業及び出庫作業を含めた全体としての処理作業の作業能率が低くなる問題があった。
【０００５】
この実情に対し、本発明の主たる課題は、合理的な入出庫形態を採ることにより、システムコスト及びランニングコストの低減を図りながら、入出庫作業を含めた全体としての処理作業の作業能率を効果的に向上させる点にある。
【０００６】
【課題を解決するための手段】
〔１〕請求項１記載の発明では、処理棚を処理庫の庫内に配備するのに対し、この処理庫の庫外に、未処理の処理物を搬入する搬入部と、処理棚で処理した処理済みの処理物を搬出する搬出部と、複数の収納部を備える待機棚とを設け、そして、搬入部に搬入された処理物を待機棚の各収納部へ順次に収納する入荷作業を自動的に行い、前記待機棚の各収納部に収納されている処理物を前記処理棚の各収納部に収納する入庫作業と前記処理棚の各収納部に収納されている処理物を前記待機棚の各収納部に収納する出庫作業と並行して実施して、待機棚の各収納部と処理棚の各収納部との間で収納処理物を順次に入れ換える入出庫作業を自動的に行い、並びに、待機棚の各収納部における収納処理物を搬出部へ順次に取り出す出荷作業を自動的に行う移送手段を設けるから、処理棚での処理の後に移送手段による自動入出庫作業で処理棚の各収納部から待機棚の各収納部へ移し替えてある処理済みの処理物を、処理棚での次の処理物の処理の間を利用して、移送手段による自動出荷作業で搬出部へ順次に取り出し、これに並行して、この取り出し処理物をフォークリフトなどの適当な運搬装置により搬出部から順次に搬出できる。
【０００７】
また、同じく処理棚での処理物の処理の間を利用して、フォークリフトなどの適当な運搬装置により未処理の処理物を搬入部へ順次に搬入し、これに並行して、その搬入処理物を移送手段による自動入荷作業で待機棚の各収納部へ順次に収納できる。
【０００８】
そして、処理棚での処理物の処理が完了すると、処理棚の各収納部における処理済みの処理物と先の自動入荷作業で待機棚の各収納部に収納してある未処理の処理物とを、移送手段による自動入出庫作業で能率良く入れ替えることができ、これら作業形態をもって処理作業を能率良く実施できる。
【０００９】
すなわち、請求項１記載の発明によれば、処理済みの処理物をフォークリフトなどの適当な運搬装置により搬出部から順次に搬出する搬出作業、及び、未処理の処理物を同じくフォークリフトなどの適当な運搬装置により搬入部へ順次に搬入する搬入作業については、処理棚での他の処理物の処理の間を利用して行うことができて、処理庫内における処理棚の各収納部へ未処理の処理物を移送手段により順次に自動収納する入庫作業、及び、処理済みの処理物を処理棚の各収納部から移送手段により順次、自動的に取り出す出庫作業は、上記搬出作業や搬入作業を予め済ませた上で処理棚における収納処理物と待機棚における収納処理物とを順次入れ替えるだけの並行作業にすることができ、これにより、これら自動入出庫作業の作業能率を搬入作業や搬出作業の作業能率に規制されずに高めることができて、入出庫作業を含めた全体としての処理作業の作業能率を従来システムに比べ効果的に向上でき、また、この能率化により単位期間当たりのシステムの処理能力を大きく向上できる。
【００１０】
しかも、未処理の処理物及び処理済みの処理物を集荷状態に一時預けする待機棚を処理庫の庫外に配備するから、このような待機棚を処理棚とともに処理庫の庫内に配備するに比べ、処理庫を小型化することができ、また、その小型化により、庫内空気を調整する空調手段の必要能力も合わせ低減でき、これらのことから、システムコスト及びランニングコストも安価にすることができる。
【００１１】
なお、出荷作業を伴う搬出作業及び入荷作業を伴う搬入作業は、必ずしも、それら作業の全作業量を処理棚での他の処理物の処理の間に完了する必要はなく、作業量の一部のみを処理棚での他の処理物の処理の間を利用して行うものであってもよい。
また、請求項１記載の発明では、移送手段を、前記の入荷作業では、移送機を搬入部と待機棚との間で往復走行させて、その移送機により搬入部への搬入処理物を順次に待機棚の各収納部へ収納し、かつ、前記の入出庫作業では、この移送機を待機棚と処理棚との間で往復走行させて、その移送機により待機棚の各収納部における収納処理物と処理棚の各収納部における収納処理物とを順次に入れ換え、かつ、前記の出荷作業では、この移送機を待機棚と搬出部との間で往復走行させて、その移送機により待機棚の各収納部における収納処理物を順次に搬出部へ取り出す構成にする。
すなわち、この構成によれば、例えば、移送手段として、搬入・搬出部と待機棚との間で走行移動して入荷作業及び出荷作業を行う入出荷用移送機と、待機棚と処理棚との間で走行移動して入出庫作業を行う入出庫用移送機とを各別に設けたり、また、搬入部、搬出部、待機棚、処理棚の夫々にわたるコンベア式などの定置型の移送手段を採用するに比べ、走行式移送機の兼用化をもって移送構成及び自動移送のための制御構成を簡単にすることができ、これにより、システムコストを一層安価にし得るとともに、移送手段に対するメンテナンスも容易にすることができる。
【００１２】
〔２〕請求項２記載の発明では、処理庫の庫内における処理棚の前面域を、その処理棚の各収納部に対する移送手段の処理物出し入れ作業域にするのに対し、処理棚の各収納部に対する調整空気の通風構成として、処理棚の前面域へ空調手段による調整空気を拡散させる状態に吹き出し供給する給気導風路と、処理棚の各収納部から棚背面側へ空気吸引する吸引ファンとを設ける。
【００１３】
すなわち、この構成によれば、給気導風路により棚前面域へ拡散させる状態に吹き出し供給した調整空気を、吸引ファンによる空気吸引をもって処理棚の各収納部に棚前面側から強制的に通過させ、これにより、処理棚の各収納部における収納処理物を効率良く処理できる。
【００１４】
また、この構成によれば、処理棚の前面域を移送手段の処理物出し入れ作業域と処理棚の各収納部に対する調整空気の供給域とに兼ねることから、処理庫を一層小型化できるとともに、その小型化により空調手段の必要能力も一層低減できる。
【００１５】
しかも、処理棚の前面域へ調整空気を拡散させる状態に給気導風路から吹き出し供給して、この調整空気を処理棚の各収納部に吸入させる形態を採るから、処理棚の前面域を処理物出し入れ作業域と調整空気の供給域とに兼用しながらも、処理棚の各収納部に対する調整空気の供給構成が移送手段による処理物出し入れ作業の支障になることを容易に回避でき、例えば、別構成として、調整空気の供給構成が移送手段による処理物出し入れ作業の支障になることを回避しながら、処理棚の各収納部と空調手段とを調整空気の供給ダクトにより直接に接続する構成を採るに比べ、システム中の風路構成も簡単にすることができる。
【００１６】
〔３〕請求項３記載の発明では、処理棚の各収納部から前記吸引ファンにより吸引した空気を合流状態で流入させる機械室を、処理庫の庫内に仕切形成するとともに、この機械室に空調手段として、その機械室の室内気を調整する空調機を配備し、この構成において、この機械室の室内気を調整空気として前記給気導風路へ送出するから、処理棚の各収納部に通過させた空気を空調手段に還気するのに、処理棚の各収納部と空調手段とを還気用のダクトにより直接に接続するに比べ、風路構成を一層簡単にすることができる。
【００１７】
また、処理棚の各収納部に対して、空調手段としての配備空調機、及び、庫内仕切形成の機械室を共用する形態になることから、空調手段の配備面や庫内における機械室の仕切形成面でもシステム構成を一層簡単にすることができ、これらのことから、システムコストをさらに安価にし得るとともに、システムのメンテナンス（特に空調機の点検保守）も容易にすることができる。
【００２０】
〔４〕請求項４記載の発明では、搬入部と搬出部とを隣合わせに配置し、そして、移送手段を、前記の出荷作業において前記移送機を搬出部から待機棚へ戻り走行させる度に、その戻り走行行程の移送機を用いて搬入部への搬入処理物を待機棚へ収納する入出荷並行作業が可能な構成にする。
【００２１】
すなわち、この構成によれば、出荷作業を全て完了した後に入荷作業を開始する作業形態に比べ、上記の入出荷並行作業を実施することで、走行式移送機の無駄走行を効果的に回避できて、入出荷作業に要する時間を大巾に短縮でき、これにより、出荷作業を伴う搬出作業及び入荷作業を伴う搬入作業を処理棚での他の処理物の処理の間に全て完了することを確実にして、ないしは、処理棚での他の処理物の処理の間に入出荷できる処理物量を大きくして、前記請求項１記載の発明による全体としての処理作業の作業能率の向上を一層効果的に達成できる。
【００２２】
〔５〕請求項５記載の発明では、前記空調手段を庫内空気の除湿処理が可能な構成にするから、この空調手段で除湿した空気を処理棚の各収納部に通過させて収納処理物の乾燥処理を効率良く行うことができ、この効率化と前記の如き入出庫作業を含めた全体としての処理作業の作業能率の向上とが相まって、システムの単位期間当たりの乾燥処理能力を一層高めることができる。
【００２３】
【発明の実施の形態】
図１〜図３は乾燥処理システムを示し、１は処理庫、２は前面どうしを対向させて処理庫１の庫内に配備した２基の処理棚、３は同じく前面どうしを対向させて処理庫１の庫外に配備した２基の待機棚であり、これら処理棚２及び待機棚３は夫々、棚前面視で行列配置の複数の収納部２ａ，３ａを備えている。
【００２４】
４Ａ，４Ｂは処理物Ｗ（例えば玉葱など）を収容したコンテナ５の搬入部及び搬出部であり、これら搬入部４Ａと搬出部４Ｂは、互いに隣合わせにして処理庫１とは反対側で両待機棚３に近接させて配置し、待機棚３とともに処理庫１の庫外に配備してある。
【００２５】
６は、搬入部４Ａに搬入されたコンテナ５を待機棚３の各収納部３ａへ順次に収納する入荷作業、待機棚３の各収納部３ａと処理棚２の各収納部２ａとの間で収納コンテナ５を順次に入れ換える入出庫作業、並びに、待機棚３の各収納部３ａにおける収納コンテナ５を搬出部４Ｂへ順次に取り出す出荷作業の夫々を自動的に行う移送手段としての走行式移送機であり、この移送機６は前面対向する棚２，３どうしの間をレールＲに案内されて走行し、機体には、コンテナ昇降用の昇降台６ａ、及び、棚２，３の各収納部２ａ，３ａと昇降台６ａとの間でのコンテナ５の受渡しを行う移載装置６ｂを装備してある。
【００２６】
なお、庫内の処理棚２と庫外の待機棚３とは、処理庫１の出入口１ａを通る移送機６の一連の移動経路を直線経路にするように棚巾方向に並べて配置し、これにより、移送機６によるコンテナ移送を能率化する。
【００２７】
処理作業については、例えば図７に示すように、一日に３群の処理物Ｗを処理するのに次の（イ）〜（ト）の如く作業進行する。
【００２８】
（イ）前日に処理棚２で処理した後に出庫作業して待機棚３の各収納部３ａに預けてある前日第３群の処理物収容コンテナ５に対する出荷作業として、移送機６を待機棚３と搬出部４Ｂとの間で往復走行させて、待機棚３の各収納部３ａにおける収納コンテナ５を順次、移送機６により搬出部４Ｂへ取り出し、これに並行して、この取り出しコンテナ５をフォークリフト等の運搬装置により搬出部４Ｂから順次搬出する。
【００２９】
また、この出荷作業において、移送機６を搬出部４Ｂから待機棚３へ戻り走行させる度に、フォークリフト等の運搬装置により搬入部４Ａに搬入される当日第２群の未処理コンテナ５を、戻り走行行程の移送機６を用いて待機棚３の空き収納部３ａに収納する。すなわち、前日第３群の処理済コンテナ５と当日第２群の未処理コンテナ５とについて入出荷並行作業を行う。
【００３０】
（ロ）前日に処理棚２で処理した後、処理棚２の各収納部２ａに収納したままの状態にある前日第１群の処理済コンテナ５に対する出庫作業と、先の入荷作業で待機棚３の各収納部３ａに預けた当日第２群の未処理コンテナ５に対する入庫作業とを並行実施する入出庫作業として、処理棚２と待機棚３との間で移送機６を往復走行させて、処理棚２の各収納部２ａにおける収納コンテナ５と、待機棚３の各収納部３ａにおける収納コンテナ５とを、移送機６により順次に入れ替える。
【００３１】
（ハ）上記の入庫作業で処理棚２の各収納部２ａに収納した当日第２群の未処理コンテナ５（コンテナ収容処理物Ｗ）を処理棚２において処理し、この処理の間に、先の出庫作業で待機棚３の各収納部３ａに預けた前日第１群の処理済コンテナ５に対する出荷作業として、待機棚３と搬出部４Ｂとの間で移送機６を往復走行させて、待機棚３の各収納部３ａにおける収納コンテナ５を順次、移送機６により搬出部４Ｂへ取り出し、これに並行して、この取り出しコンテナ５をフォークリフト等の運搬装置により搬出部４Ｂから順次搬出する。
【００３２】
また、この出荷作業の完了後、同じく当日第２群の未処理コンテナ５に対する処理の間に、当日第３群の未処理コンテナ５に対する入荷作業として、フォークリフト等の運搬装置により当日第３群の未処理コンテナ５を搬入部４Ａに順次搬入するに伴い、移送機６を搬入部４Ａと待機棚３との間で往復走行させて、搬入部４Ａへの搬入コンテナ５を移送機６により待機棚３の各収納部３ａへ順次収納する。
【００３３】
（ニ）当日第２群の処理物収容コンテナ５に対する処理棚２での処理が完了すると、処理棚２の各収納部２ａにおける当日第２群の処理済コンテナ５に対する出庫作業と、先の入荷作業で待機棚３の各収納部３ａに預けた当日第３群の未処理コンテナ５に対する入庫作業とを並行実施する入出庫作業として、処理棚２と待機棚３との間で移送機６を往復走行させて、処理棚２の各収納部２ａにおける収納コンテナ５と、待機棚３の各収納部３ａにおける収納コンテナ５とを、移送機６により順次に入れ替える。
【００３４】
（ホ）上記の入庫作業で処理棚２の各収納部２ａに収納した当日第３群の未処理コンテナ５（コンテナ収容処理物Ｗ）を処理棚２において処理し、この処理の間に、先の処理棚２での処理の後に出庫作業して待機棚３の各収納部３ａに預けてある当日第２群の処理済コンテナ５に対する出荷作業として、移送機６を待機棚３と搬出部４Ｂとの間で往復走行させて、待機棚３の各収納部３ａにおける収納コンテナ５を順次、移送機６により搬出部４Ｂへ取り出し、これに並行して、この取り出しコンテナ５をフォークリフト等の運搬装置により搬出部４Ｂから順次搬出する。
【００３５】
また、この出荷作業において、移送機６を搬出部４Ｂから待機棚３へ戻り走行させる度に、フォークリフト等の運搬装置により搬入部４Ａに搬入される当日第１群の未処理コンテナ５を、戻り走行行程の移送機６を用いて待機棚３の空き収納部３ａに収納する。すなわち、当日第２群の処理済コンテナ５と当日第１群の未処理コンテナ５とについて入出荷並行作業を行う。
【００３６】
（ヘ）当日第３群の処理物収容コンテナ５に対する処理棚２での処理が完了すると、処理棚２の各収納部２ａにおける当日第３群の処理済コンテナ５に対する出庫作業と、先の入荷作業で待機棚３の各収納部３ａに預けた当日第１群の未処理コンテナ５に対する入庫作業とを並行実施する入出庫作業として、処理棚２と待機棚３との間で移送機６を往復走行させて、処理棚２の各収納部２ａにおける収納コンテナ５と、待機棚３の各収納部３ａにおける収納コンテナ５とを、移送機６により順次に入れ替える。
【００３７】
（ト）上記の入庫作業で処理棚２の各収納部２ａに収納した当日第１群の未処理コンテナ５（コンテナ収容処理物Ｗ）を処理棚２において処理し、この処理後、処理棚２の各収納部２ａにおける当日第１群の処理済コンテナ５は、処理棚２の各収納部２ａに収納したままの状態にして、次日の出庫作業を待ち、また、待機棚３の各収納部３ａに預けた当日第３群の処理済コンテナ５も、待機棚３の各収納部３ａに預けたままの状態にして、次日の出荷作業を待つ。
【００３８】
なお、入出庫作業については、その作業開始指令が付与されると移送機６が各棚２，３の収納コンテナ５の全数について全自動的に入出庫作業を実行し、一方、入荷作業及び出荷作業については、搬入作業及び搬出作業の進行に伴い入荷指令及び出荷指令を与える毎に移送機６が個々の搬入・搬出コンテナ５について入荷作業及び出荷作業を自動的に実行する構成にしてある。
【００３９】
処理棚２でのコンテナ収容処理物Ｗの処理については、棚巾方向に並べて形成した複数の吹出口７ａから処理棚２どうしの間の移送機経路へ向けて調整空気ＳＡを吹き出すことで、各処理棚２の前面域（本例では処理棚２どうしの間の移送機移動空間であって、処理棚２の各収納部２ａに対する移送機６のコンテナ出し入れ作業域に相当）へ調整空気ＳＡを拡散させる状態に供給する給気導風路としての給気ダクト７を各処理棚２の下に配設し、また、各処理棚２の収納部２ａから棚背面側に配備の吸引チャンバ８を介して吸引ファン９により空気吸引する構成として、これら吸引チャンバ８及び吸引ファン９を各処理棚２における収納部２ａの夫々に対して個別に配備し、これにより、個別吸引ファン９の吸引作用により各処理棚２の収納部２ａに棚前面域から調整空気ＳＡを吸入させて各収納部２ａに調整空気ＳＡを強制通過させることで、これら収納部２ａにおける収納処理物Ｗ（すなわち収納コンテナ５の収容処理物）を処理する。
【００４０】
処理庫１の庫内において各処理棚２の背面側には、対応処理棚２の各収納部２ａから個別の吸引チャンバ８及び吸引ファン９により吸引した空気ＲＡを受け入れて合流させる還気導風路としての還気室１０と、さらにその外側に配置して還気室１０から連通口１１，１２を介し空気流入させる機械室１３とを間仕切１４，１５により仕切形成し、各機械室１３には空調手段として機械室１３の室内気を除湿処理する除湿機１６，１７を配備してある。
【００４１】
また、処理庫１の庫外には、外気を加熱してその加熱外気ＯＡを温風ダクト１８により各機械室１３へ各別に供給する空気加熱手段としての２基の燃焼式温風機１９を配備してあり、この空調構成において、各機械室１３の室内気を処理用調整空気ＳＡとして各機械室１３の一端部から給気ファン２０により各給気ダクト７へ各別に送出することで、処理棚２の各収納部２ａにおける収納処理物Ｗを前記の如き処理形態をもって乾燥処理する。
【００４２】
すなわち、基本的には、処理棚２の各収納部２ａから個別の吸引チャンバ８及び吸引ファン９により吸引した空気ＲＡ（すなわち使用済の調整空気）を還気導風路としての還気室１０を介し合流状態で機械室１３へ導いて、空調手段としての除湿機１６，１７により調整し、この調整空気ＳＡを給気導風路としての給気ダクト７へ送出する構成にしてある。
【００４３】
そして、この処理システムでは、個別の吸引チャンバ８及び吸引ファン９による吸引空気ＲＡを還気導風路としての還気室１０を介し合流状態で機械室１３へ導くのに対し、この機械室１３を、空調手段としての除湿機１６，１７へ還気室１０からの導入空気ＲＡを導く導風路１３Ａと、それら除湿機１６，１７に対し還気室１０からの導入空気ＲＡの一部をバイパスさせるバイパス路１３Ｂとに兼用し、かつ、空気加熱手段としての燃焼式温風機１９から供給される加熱外気ＯＡの混合室に兼用する形態で、除湿機１６，１７により除湿処理した空気とバイパス風路１３Ｂによるバイパス空気と燃焼式温風機１９による加熱外気ＯＡとの混合気を、処理用調整空気ＳＡとして給気導風路としての給気ダクト７へ送出する構成にしてある。
【００４４】
除湿機については、室外機不要の一体型除湿機１６、及び、庫外に配置した室外機１７ａとの冷媒配管接続が必要なセパレート型除湿機１７の２種を機械室１３に配備してあり、一体型除湿機１６では、機体周辺から機内に取り入れた空気を冷媒蒸発コイルにより冷却除湿し、これに続き、その冷却除湿空気を冷媒凝縮コイルにより再熱して機外へ送出する。一方、セパレート型除湿機１７では、機体周辺から機内（室内機）に取り入れた空気を冷媒蒸発コイルにより冷却除湿し、これに続き、その冷却除湿空気を冷媒凝縮コイルにより再熱して機外へ送出することにおいて、室外機１７ａの冷媒凝縮コイルによる庫外へ放熱量を調整することで再熱量の調整が可能になっている。
【００４５】
還気室１０から機械室１３への空気流入について、それら還気室１０と機械室１３との間の間仕切１４には、床近傍箇所に形成の下部連通口１１と天井近傍箇所に形成の上部連通口１２とを設けてあり、そして、下部連通口１１には、その下部連通口１１における通過空気ＲＡを浄化する空気浄化手段としてオートロール式の除塵フィルタ２１を配備し、また、上部連通口１２には、吸引ファン９及び給気ファン２０とともに空気循環用ファンとして機能させる連通口ファン２２を配備してある。
【００４６】
つまり、この連通口構成により、空気浄化手段としてのオートロール式除塵フィルタ２１の必要処理風量を軽減しながらも、還気室１０での塵埃降下を利用して機械室１３への流入空気ＲＡに対する除塵処理を効率良く行い、かつ、上下の連通口１１，１２をもって機械室１３への流入風量（すなわち機械室１３と棚２との間での循環風量）を大きく確保する。
【００４７】
また、各還気室１０の受け入れ空気ＲＡの一部は、庫内換気を兼ねて、排塵用導風路としての排気ダクト２３を通じ排気ファン２４により処理庫１の庫外へ排出するようにし、この排気と前記除塵フィルタ２１による除塵とをもって、収納処理物Ｗからの発塵に対し処理庫１の庫内塵埃濃度を許容レベルに保つ。
【００４８】
処理物Ｗを集積状態で収容するコンテナ５は、調整空気ＳＡを内部通過させるように前面と背面との２面（場合によっては両横面を含む４面、さらにまた、場合によっては底面を含む５面）を網状体で形成した通気構造にしてあり、一方、各処理棚２においては、図４及び図５に示す如く、棚前面域から収納部２ａに吸入した調整空気ＳＡが隣の収納部２ａへ移流することを防止する為に、上下左右に隣合う収納部２ａどうしを遮風壁２５，２６により仕切ってある。
【００４９】
また、吸入調整空気ＳＡが収納コンテナ５の周囲を迂回する状態でコンテナ背面部と吸引チャンバ８の口縁との間の隙間から吸引チャンバ８に吸引されることを防止する為に、コンテナ５を収納部２ａに収納した状態で上記隙間を塞ぐシール手段として、コンテナ５の収納に伴いコンテナ５の背面部を当接させてコンテナ背面部と吸引チャンバ８の口縁との間を弾性により気密にするゴム製などの弾性パッキン２７を吸引チャンバ８の口縁部に貼設してある。
【００５０】
さらにまた、各収納棚２の前面には、各収納部２ａの前面開口部を閉じる開閉自在なカーテン状体２８を設け、そして、このカーテン状体２８には、コンテナ５を各収納部２ａに収納してカーテン状体２８を閉じた状態において各コンテナ５の前面部に対向位置させる多孔構造の通気口２９を形成し、これにより、カーテン状体２８を閉じた状態において棚前面域の調整空気ＳＡを各収納コンテナ５の前面部に集中させるように上記通気口２９から各収納部２ａへ吸入する。
【００５１】
つまり、調整空気ＳＡの強制通風により高い処理能率を確保しながらも、これら遮風壁２５，２６、弾性パッキン２７、通気口形成カーテン状体２８の機能により、各収納部２ａに対する吸引チャンバ８及び吸引ファン９の個別配備と相まって、また、還気室１０による導風で使用済調整空気ＲＡの庫内拡散を阻止することと相まって、処理棚１における収納処理物Ｗを均一に処理できるようにしてある。
【００５２】
カーテン状体２８については、図６に示す如く、その閉じ状態において棚前面部の全面にわたらせる主体シート材２８ａ（通気口２９を形成したシート材）に上下適当間隔で横向き芯材３０を取り付け、そして、開閉操作用の索具３１を各芯材３０に付設の案内環３２に通して最下端の芯材３０に連結した構造にし、この索具３１を処理棚上部の動力巻取機３３により上方へ巻き取ることで、図６（ロ）に示す如く、カーテン状体２８を芯材間が折目部となる折り畳み状態に開いて、その折り畳み状態で処理棚２の上端部に格納し、この開き状態において処理棚２の各収納部２ａに対する処理物収容コンテン５の出し入れ作業を行うようにしてある。
【００５３】
また、各吸引チャンバ８及び吸引ファン９による吸引空気ＲＡは、各吸引ファン９の吐出側に接続のエルボダクト３４により下向きで還気室１０の室内へ吐出させ、これにより、吐出風による間仕切１４のバタツキを防止するとともに、吐出風に含まれる塵埃の舞い上がり抑制する。
【００５４】
〔別の実施形態〕
次に別の実施形態を列記する。
【００５６】
空調手段による調整空気ＳＡを処理棚２の各収納部２ａに通過させる形態で，処理庫１の庫内空気を空調手段と処理棚２とにわたり循環させる風路構成も、前述の実施形態で示した如き風路構成に限定されるものではなく、種々の構成変更が可能である。
【００５７】
未処理の処理物Ｗを搬入する搬入部４Ａと、処理棚２で処理した処理済みの処理物Ｗを搬出する搬出部４Ｂとは、搬入専用のもの及び搬出専用のものを各別に配備するに代え、搬入と搬出とに共用する一つの搬入搬出兼用部で構成してもよく、また、この場合、請求項５記載の発明の応用として、出荷作業で移送機６を搬入搬出兼用部から待機棚３へ戻り走行させる度に、その戻り走行行程の移送機６を用いて搬入搬出兼用部への搬入処理物を待機棚３へ収納する形態で入出荷並行作業を実施させるようにしてもよい。
【００５８】
個別の吸引チャンバ８及び吸引ファン９により処理棚２の各収納部２ａにおける収納コンテナ５（処理物Ｗを収容したコンテナ）の内部にコンテナ前面側から調整空気ＳＡを強制通過させるのに、これらコンテナ５における収容処理物群の上面部をシート材や板材などからなる落とし蓋的な遮風手段で覆い、これにより、コンテナ内部へのコンテナ前面部からの調整空気吸入を一層的確にして処理の一層の効率化・均一化を図ってもよい。
【００５９】
また、吸引チャンバ８を収納コンテナ５の背面部のほぼ全面に対して空気吸引機能させるに代え、収納コンテナ５の背面部のうち上縁から下方へある程度の寸法の間の部分に対しては吸引チャンバ８を吸引機能させない構造にし、これにより、コンテナ５における処理物Ｗの収容量が少なくてコンテナ内部で収容処理物群の上方に空きスペースが生じるような場合でも、この空きスペースを介して調整空気ＳＡが短絡的に吸引チャンバ８に吸引されることを防止して、処理物Ｗの効率的かつ均一な処理を維持できるようにしてもよい。
【００６０】
処理物Ｗは玉葱や馬鈴薯、あるいは果実、あるいはまた海草類や魚介類など、どのような農水産物であってもよく、また、処理物Ｗの処理内容も乾燥に限定されるものではなく、冷却や加熱あるいは加湿、あるいはまた、それらの組み合わせであってもよい。そして、庫内空気を調整する空調手段は、除湿機に限らず、空気冷却機や空気加熱機あるいは加湿機、あるいはまた、それらの組み合わせ等、処理物Ｗの処理内容に応じて選定すればよい。
【００６１】
その他、各請求項に記載の発明の実施にあたっては、各請求項に記載の範囲内において、構造面及び方式面で種々の構成変更が可能である。
【図面の簡単な説明】
【図１】平面図
【図２】側面図
【図３】正面図
【図４】収納部の側面図
【図５】収納部の正面図
【図６】カーテン状体の開閉構造を示す棚側面図
【図７】作業進行形態の一例を示す図
【符号の説明】
１                    処理庫
２                    処理棚
２ａ                  処理棚収納部
３                    待機棚
３ａ                  待機棚収納部
４Ａ                  搬入部
４Ｂ                  搬出部
６                    移送手段，移送機
７                    給気導風路
９                    吸引ファン
１３                  機械室
１６，１７            空調手段，空調機
ＳＡ                  調整空気
Ｗ                    処理物
【図１】
0003596656.tif 000002
【図２】
0003596656.tif 000003
【図３】
0003596656.tif 000004
【図４】
0003596656.tif 000005
【図５】
0003596656.tif 000006
【図６】
0003596656.tif 000007
【図７】
0003596656.tif 000008